(57)【要約】【課題】  木製タイコ材の代わりに使用し得る合成樹脂製タイコ材を提供【解決手段】  コンクリート製電柱を貯留して複数段に重積して配列する際に使用するコンクリート製電柱配列用合成樹脂製タイコ材おいて、角形形状の合成樹脂製本体と、前記本体中心にインサートされた金属性管体とからコンクリート製電柱配列用合成樹脂製タイコ材を構成する。【選択図】図１
2006182536.tif 000002
【特許請求の範囲】
【請求項１】
コンクリート製電柱を貯留して複数段に重積して配列する際に使用するコンクリート製電柱配列用合成樹脂製タイコ材おいて、
角形形状の合成樹脂製本体と、
前記本体中心にインサートされた金属性管体と
からなることを特徴とするコンクリート製電柱配列用合成樹脂製タイコ材。
【請求項２】
コンクリート製電柱を貯留して複数段に重積して配列する際に使用するコンクリート製電柱配列用合成樹脂製タイコ材おいて、
角形形状のの両端部上面に係止部を備えた合成樹脂製本体と、
前記本体中心にインサートされた金属性管体と、
使用時において前記本体の両端部におかれて重積されたコンクリート製電柱を係止するための前記係止部と係合する凹部を備えた楔体と
からなることを特徴とするコンクリート製電柱配列用合成樹脂製タイコ材。
【請求項３】
前記本体は、ポリプロピレンまたはポリエチレン製であることを特徴とする請求項１又は２に記載のコンクリート製電柱配列用合成樹脂製タイコ材。
【請求項４】
前記管体は、前記本体より短く、前記本体中心にインサートされることを特徴とする請求項１又は２に記載のコンクリート製電柱配列用合成樹脂製タイコ材。
【発明の詳細な説明】
【技術分野】
【０００１】
本発明は、コンクリート製電柱を貯留して複数段に重積して配列する際に枕木や桟木として使用するコンクリート製電柱配列用合成樹脂製タイコ材に関する。
【背景技術】
【０００２】
従来、円柱状の長尺物を貯留場に貯留する場合、特許文献１に記載されているように、角材からなる枕木の上に千鳥状に積む、いわゆる俵積みをするのが一般的である。いわゆる俵積みをすると、最下段の円柱状長尺物は上部に積まれている長尺物の重量によって枕木との当接部分で応力が集中し、撓みが生ずること、及び、貯留面積あたりの貯留数が少ないという問題があった。
【０００３】
そのため、重量のある円柱状長尺物を貯留する場合、特許文献２や特許文献３に記載されているように、円柱状長尺物の軸心を鉛直方向に積み重なるように多段に重積する多段積みが行われている。
【０００４】
特許文献２には、長尺物、長尺鋼材を複数段に積重して、省スペースを図るようにし、そして、荷崩れが生じないように所要数の鋼材等を並列配置したものを一段とし、荷扱いの容易さを図るため、鋼材の段積各段の間に電磁石で吸着して移送するブロック材を挿入するようにしたものが記載されている。
【０００５】
特許文献３には、図８に示すように、管３１２の段積み場の近傍に形成された搬送経路に沿って、コンベヤにより複数の輪木３２４（木製の角材にて構成されている。）を搬送し、搬送経路に対応した第１および第２の所定位置と管３１２における第１および第２の輪木供給位置との間を走行する第１および第２の輪木移送装置によって、コンベヤからの一対の輪木３２４を、管３１２における前記第１および第２の輪木供給位置へ移送するものが記載され、水平方向の複数の管を複数段に積み上げるときに上下に隣り合う段どうしの間にスペーサとして介装される輪木を、下段の管の上へ供給するためのものが開示されている。なお、３１３はは鋳造管の受け口、３１４は、鋳造管の挿口を示している。
【０００６】
コンクリート製電柱（電話・通信用の柱を電信柱といい、電力の配電用の柱を配電柱というが、以下「電柱」という。）、昭和２６年の森林法の改正により、森林資源の開発、木材消費の合理化を進めることとなり、木柱から「コンクリート製電柱」へ移行してきたものである。
【０００７】
コンクリート製電柱を貯留する場合、図５〜図７に示すように、上記の鋼材や鋳造管と同様に、木製の角材からなるタイコ材１２１（電柱を貯留する際使用する枕木をタイコ材と呼び習わしている。以下、電柱用の枕木を「タイコ材」という。）を、荷崩れが生じないように所要数のコンクリート製電柱１１０を並列配置したものを一段とし、荷扱いの容易さを図るため、コンクリート製電柱１１０の段積各段の間に挿入することにより多段に重積して、コンクリート製電柱１１０の軸心を鉛直方向に互いに積み重なるように多段積みすることが行われている。
コンクリート製電柱配列用タイコ材１１０は、次のような仕様のものが使用されている。
形  状……断面長方形  厚さ12mm×幅80mm×長さ1820mm。
……断面長方形  厚さ50mm×幅80mm×長さ1800mm。
材  質……松材または檜材。
耐用年数…約１年程度。
【０００８】
なお、図５〜７において、タイコ材１２１を横積みのコンクリート製電柱１００の基部１１１近傍と、先端部１１２の２ヶ所に挿入し、各一本ずつのタイコ１２１材を使用するように図示されているが、コンクリート製電柱の長さ、重量によっては、２本のタイコ材１２１を並べて使用することも行われている。なお、荷崩れ防止のためタイコ材１２１の両端部には、コンクリート製電柱１００の側面に係合するように楔材１２５が使用される。
【０００９】
【特許文献１】特開昭５３−５３８７８号公報
【特許文献２】特開平４−１８２２２４号公報
【特許文献３】特開平７−９７０５３号公報
【発明の開示】
【発明が解決しようとする課題】
【００１０】
上述したように、森林資源の保護のために、木製電柱からコンクリート製電柱に切換えが行われたのであるが、貯留のために配列する際使用するタイコ材は木製の角材が使用され続けられていた。
近年、温暖化現象によって森林資源の保護が叫ばれ、コンクリート製電柱用のタイコ材も脱木製化の模索が行われている。
さらに、木製タイコ材は、長尺物かつ重量物を段積みするため安全性から十分な強度及び耐久性が要求されるものであるが、経年劣化による腐食・強度低下及び外観による良否判別が困難であった。特に、非使用時には屋外で保管されることとなっているため、経年変化による劣化が進みやすく、外観による良否判別が困難なこと、かつ、不良タイコ材の最終処分も、関連法規の改正により、産業廃棄物としての処分費用も高額となっており、取り扱いによっては、コンクリート製電柱の使用者（電力会社、鉄道会社、通信会社等）のイメージ低下につながりかねない問題を引き起こす可能性もあり、その解決が急務であった。
【００１１】
そのため、タイコ材を、これと同一形状の合成樹脂製タイコ材にする試みも行われていた。
合成樹脂製タイコ材は、耐久性があるため、タイコ材の耐久年数が延びるとい長所を備えているものの、自重でしなり生じ、歪みも生ずるため直線状に接地しにくいという欠点があった。貯留場においては、図５に示すように、土台の直上部に合成樹脂製タイコ材１２１ａを置き、その上に一段目のコンクリート製電柱を横一列に並べ、その一列目のコンクリート製電柱には、従来の木製タイコ材を置いて、さらに、その上にコンクリート製電柱１２１を横一列に並べて多段に重積することが行われていた。
【００１２】
本発明は、木製タイコ材の代わりに使用し得る合成樹脂製タイコ材を提供することを目的とするものである。
【課題を解決するための手段】
【００１３】
本発明は、上記課題を解決するために、コンクリート製電柱を貯留して複数段に重積して配列する際に使用するコンクリート製電柱配列用合成樹脂製タイコ材を、角形形状の合成樹脂製本体と、前記本体中心にインサートされた金属性管体とから構成することとした。
【００１４】
また、前記本体は、ポリプロピレンまたはポリエチレン製であり、前記管体は、前記本体より短く構成されている。
【発明の効果】
【００１５】
本発明のコンクリート製電柱配列用合成樹脂製タイコ材は、木製のタイコ材と比して、強度、耐久性があり、金属性管体がインサートされているため、歪みやしなりも生じにくく、外観による良否判断もし易いものである。さらに、耐久性や森林資源の保護及び廃棄物処理の困難性の点で問題のある木製のタイコ材の代わりになりうるタイコ材であるため、環境保全にも貢献できるという顕著な効果を備えたものである。
【発明を実施するための最良の形態】
【００１６】
本発明のコンクリート製電柱配列用合成樹脂製タイコ材２０（以下、単に「タイコ材」という。）は、図１（ａ）に示されているように、直方体形状に成形された合成樹脂製本体２１と、その本体２１内に金属製管体２４をインサートしたインサート部２２と、所定幅ｄの本体２１の両端に設けられた端部２３よりなるものである。
【００１７】
本体２１の金属性管体２４がインサートされていない両端には、所定幅ｄの長さの端部２３を設けてあるが、タイコ材の軽量化のためのものである。
端部２３は、インサート形成されて形成されるものであるため、通常中空部分が形成されているが、この中空部分２３ａが金属性管体２４と通じて、タイコ材２０を導通してしまうため、金属性管体２４の錆や、風が導通することによる音鳴りが発生しやすくなるため、図１（ｄ）に示すような、キャップ２６をタイコ材２０の両端に被せるようにしてもよい。
なお、インサート成形する際、端部２３に中空部分ができないよう、当初から端部２３を中実部分として成形するようにしてもよい。
なお、端部２３の所定幅ｄは、タイコ材の重量により、適宜変更するものである。
【００１８】
この実施例においては、使用時に、コンクリート製電柱１０の荷崩れを防止するための楔体２５は、図１（ｂ）に示されるように、コンクリート製電柱１０の側面形状に合わせた曲面形状が形成された、前記本体と同一の材質の合成樹脂より成形されている。この楔体２５の曲面形状部は、従来の木製の楔体と相違して、合成樹脂製であるため、容易に成型可能となる。
【００１９】
本体２１は、合成樹脂製であるが、ポリプロピレン、ポリエチレンから成形されることが好ましい。ポリプロピレン、ポリエチレンの素材は、該素材による成形によって発生したバリ、不良品、色替え時のダンゴ、プラスチック回収品等の廃材を使用することができるものであるので、より環境保全に貢献しうるものである。
【００２０】
金属製管体２４は、金属製であるが、鉄製、アルミ被覆した鉄製、アルミ製のものが使用されるが、コスト、重量との兼ね合いで、これらの素材に限られるものではない。
【００２１】
タイコ材２０の本体２１は、例えば、長さ１８００mm、一辺が７０mmの直方体形状に成形され、その中心部に肉厚１〜２mm、直径２０mm〜３０mm、長さ１０００〜１８００mmの金属性管体２４がインサート部２２にインサートされて成形される。
本発明のタイコ材は、本体２１に金属性管体２４がインサートしたため、強度はかなり高くなっており、そのため、金属性管体２４の長さを重量軽減、コスト軽減のために本体２１より短くすることができる。
つまり、金属性管体２４の長さは、タイコ材２０の本体２１の両端に所定幅ｄだけ、金属性管体２４がインサートされていない端部２３を形成するように、短くすることもできる。所定幅ｄは、タイコ材２０の重量との兼ね合いで、適宜選択するものとし、所定幅ｄは０でもよい。
例えば、金属性管体２４の長さを１０００mmとし、所定幅ｄを４００mmとすることもできる。この場合、タイコ材２０の重量は、かなり軽いものとなり、作業時の取り扱いは各段に容易なものとなる。
【００２２】
図２は、本発明の他の実施例を示し、本体２１の両端の端部２３には、楔体２６の係止用の突部２４が形成され、楔体２５ａには、凹部２６ａが形成されている。楔体２６ａは、本体２１の端部２３の突部２４に楔体２６ａの凹部２６ａをはめ込んで使用するようにすることで、楔体の作用をすると共に、本体２１の金属性管体２４がインサートされていない端部２３の強度を高める作用もなす。
【００２３】
図３，図４は、本発明のタイコ材２０の実際の使用状態を示す、斜視図である。
現在使用されているコンクリート製電柱１０は、２０種以上あり、その長さは、１２ｍ〜１６ｍある。そのなかでも、需要の多い汎用品は、長さ１４ｍ、直径５００mmのものである。
【００２４】
汎用品クラスのコンクリート製電柱１０を貯留場に貯留する場合、通常基部１１側と先端部１２側の２ヶ所に土台を置く。なお、コンクリート製電柱１０の長さが１２ｍ以上の場合は、３ヶ所に土台を置く。その土台の上に、一対のタイコ材２１を置き、コンクリート製電柱１０をタイコ材２０に直交する方向に水平に一列に並べていく。
そして、並べ終えると、そのコンクリート製電柱１０の上に、２段目のタイコ材２０を一対置き、さらにその上に、２段目のコンクリート製電柱１０を並べ、多段に重積していく。その際、荷崩れ防止のため横一列に並べられたコンクリート製電柱１０の両端には、楔体２５を挿入する。
【図面の簡単な説明】
【００２５】
【図１】本発明のコンクリート製電柱配列用タイコ材と楔体を示す図。
【図２】本発明のコンクリート製電柱配列用タイコ材と楔体の第２実施例を示す図。
【図３】本発明のコンクリート製電柱の段積みを測方から示す斜視図。
【図４】本発明のコンクリート製電柱の段積みを基部側から示す斜視図。
【図５】従来のコンクリート製電柱の段積みを示す斜視図。
【図６】従来のコンクリート製電柱の段積みを示す斜視図。
【図７】従来のコンクリート製電柱配列用タイコ材と楔体を示す図。
【図８】従来の長尺物の段積みを示す図。
【符号の説明】
【００２６】
コンクリート製電柱  １０、コンクリート製電柱基部  １１、
コンクリート製電柱先端部  １２、合成樹脂製タイコ材  ２０、タイコ材本体  ２１、
インサート部  ２２、端部  ２３、金属製管体  ２４、楔体  ２５、キャップ  ２６
【図１】
2006182536.tif 000003
【図２】
2006182536.tif 000004
【図３】
2006182536.tif 000005
【図４】
2006182536.tif 000006
【図５】
2006182536.tif 000007
【図６】
2006182536.tif 000008
【図７】
2006182536.tif 000009
【図８】
2006182536.tif 000010